(57)【要約】【課題】結線作業に要する時間を短縮すること。【解決手段】接続情報記憶部１２が接続情報を記憶し、取得部３１がリンクアップしたポート１６の接続先のＭＡＣアドレスを取得する。そして、ガイド部３２が、取得部３１が取得したＭＡＣアドレスと接続情報に基づいて、結線作業をガイドする表示パターンを右ＬＥＤ１７に表示するようにＬＥＤ制御部１５に指示する。そして、完了判定部３３が、結線作業が完了したか否かを判定し、結線作業が完了した場合に全てのポート１６の右ＬＥＤ１７に所定の表示パターンを表示するようにＬＥＤ制御部１５に指示する。【選択図】図１
2020005206.tif 000002
【特許請求の範囲】
【請求項１】
ポートを識別するポート識別子と該ポートの接続先ポートを識別する接続先識別情報とを複数のポートの各々について対応付けた接続情報を記憶する接続情報記憶部と、
結線によりリンクアップしたポートから該ポートの接続先ポートを識別する接続先識別情報を取得する取得部と、
前記取得部により取得された接続先識別情報と前記接続情報記憶部に記憶された接続情報に基づいて結線の状態を判定し、判定結果に基づいて、結線作業をガイドする表示をポートの表示装置に行うガイド部と、
結線対象の全てのポートの結線が前記ガイド部によるガイドに基づいて正しく行われたか否かを判定し、全ての結線が正しく行われたと判定した場合に、前記表示装置を全て用いて結線作業の完了を示す表示を行う完了判定部と
を有することを特徴とするネットワーク装置。
【請求項２】
前記ガイド部は、
結線が正しいと判定した場合には、リンクアップしたポートの表示装置に結線が正しいことを示す表示を行い、
別のポートに対して結線が行われるべきと判定した場合には、正しいポートの表示装置に正しいポートであることを示す表示を行い、
接続するポートがないと判定した場合には、リンクアップしたポートの表示装置に接続するポートがないことを示す表示を行うことを特徴とする請求項１に記載のネットワーク装置。
【請求項３】
接続先として複数の情報処理装置があり、
前記接続情報記憶部は、情報処理装置を識別する情報処理装置識別子と情報処理装置との接続を示す接続フラグをさらに対応付けて記憶し、
前記ガイド部は、情報処理装置毎に、
前記取得部により取得された接続先識別情報と前記接続情報記憶部に基づいて結線が行われるべきポートを特定し、該特定したポートの表示装置に結線が行われるべきことを示す候補表示を行った後、前記状態を判定し、
結線が正しいと判定した場合には、リンクアップしたポートの表示装置に結線が正しいことを示す表示を行い、
別のポートに対して結線が行われるべきと判定した場合には、正しいポートの表示装置に正しいポートであることを示す表示を行い、
前記完了判定部は、１つの情報処理装置の結線対象の全てのポートの結線が正しく行われたか否かをさらに判定し、１つの情報処理装置の結線作業が完了する毎に前記候補表示の取り消しをさらに行うことを特徴とする請求項１に記載のネットワーク装置。
【請求項４】
前記接続情報記憶部は、ネットワーク装置を識別するネットワーク装置識別子をさらに対応付けた接続情報を記憶し、
前記ガイド部は、前記取得部により取得された接続先識別情報と前記接続情報記憶部に記憶された接続情報に基づいて、リンクアップしたポートの接続先が接続する正しいネットワーク装置が自装置であるか否かをさらに判定し、前記接続先が接続する正しいネットワーク装置が自装置でない場合に、前記接続先が接続する正しいネットワーク装置を示す表示を前記表示装置にさらに行うことを特徴とする請求項３に記載のネットワーク装置。
【請求項５】
前記接続先識別情報はＭＡＣアドレスであり、前記表示装置は、ＬＥＤであることを特徴とする請求項１〜４のいずれか１つに記載のネットワーク装置。
【請求項６】
コンピュータが、
ポートを識別するポート識別子と該ポートの接続先ポートを識別する接続先識別情報とを複数のポートの各々について対応付けた接続情報を接続情報記憶部に格納し、
結線によりリンクアップしたポートから該ポートの接続先ポートを識別する接続先識別情報を取得し、
取得した接続先識別情報と前記接続情報記憶部に記憶された接続情報に基づいて結線の状態を判定し、判定結果に基づいて、結線作業をガイドする表示をポートの表示装置に行い、
結線対象の全てのポートの結線がガイドに基づいて正しく行われたか否かを判定し、全ての結線が正しく行われたと判定した場合に、前記表示装置を全て用いて結線作業の完了を示す表示を行う
処理を実行することを特徴とする結線確認方法。
【請求項７】
コンピュータに、
ポートを識別するポート識別子と該ポートの接続先ポートを識別する接続先識別情報とを複数のポートの各々について対応付けた接続情報を接続情報記憶部に格納し、
結線によりリンクアップしたポートから該ポートの接続先ポートを識別する接続先識別情報を取得し、
取得した接続先識別情報と前記接続情報記憶部に記憶された接続情報に基づいて結線の状態を判定し、判定結果に基づいて、結線作業をガイドする表示をポートの表示装置に行い、
結線対象の全てのポートの結線がガイドに基づいて正しく行われたか否かを判定し、全ての結線が正しく行われたと判定した場合に、前記表示装置を全て用いて結線作業の完了を示す表示を行う
処理を実行させることを特徴とする結線確認プログラム。
【発明の詳細な説明】
【技術分野】
【０００１】
本発明は、ネットワーク装置、結線確認方法及び結線確認プログラムに関する。
【背景技術】
【０００２】
ネットワーク機器とコンピュータとの結線は、作業者が結線図を参照して結線を実施した後で目視による確認を実施することで行われてきた。しかしながら、コンピュータの高密度化にともない、１台のコンピュータの結線数が増加すると同時にラックに搭載されるコンピュータの台数が増加し、結線作業に要する時間が増加している。
【０００３】
そこで、無線ＩＤチップを用いて結線作業に要する時間を短縮する技術がある。この技術では、コネクタのプラグに識別情報を無線で送信する無線ＩＤチップを搭載し、装置側の各コネクタのレセプタクルに、ＩＤチップから送信される識別情報を受信し、受信した識別情報及びレセプタクルの識別情報を管理部に送出するコネクタ識別部を設ける。管理部は、プラグの識別情報とレセプタクルの識別情報を照合し、照合結果に基づき、プラグが正しいレセプタクルに接続されようとしているか否かを判別し、誤接続されようとしたとき光や音で警告を発する。また、管理部は、プラグが接続されるべき空きレセプタクルの位置を表示器を点灯させるなどして表示する。
【０００４】
また、固有情報を記録したＲＦ−ＩＤ（Radio  Frequency  IDentifier）タグをコネクタ付きケ−ブルのコネクタ部分に内蔵させ、その情報を読み取りあるいは記録する読み取り回路部品をパッチパネル等に埋設したジャック部品に配置する技術がある。この技術によれば、瞬時にして、全体の接続管理状態を把握することができる。
【０００５】
その他、ＭＡＣ（Media  Access  Control）アドレスを持つ機器がどこにあるかを探すことのできるネットワーク管理機能付き集線装置がある。この集線装置は、検出すべきＭＡＣアドレスを登録する登録手段と、ポートに受信された通信フレームの送信元ＭＡＣアドレスを取得する送信元ＭＡＣアドレス取得手段とを備える。そして、この集線装置は、送信元ＭＡＣアドレスが登録されたＭＡＣアドレスに一致したとき当該ポートを機器の接続されたポートと判別するポート判別手段とを備える。
【先行技術文献】
【特許文献】
【０００６】
【特許文献１】特開２００５−３３９９８３号公報
【特許文献２】特開２００４−３４９１８４号公報
【特許文献３】特開平８−１９５７６９号公報
【発明の概要】
【発明が解決しようとする課題】
【０００７】
ＲＦ−ＩＤタグ（無線ＩＤチップ）を使用して結線の正否を判断する技術には、ＲＦ−ＩＤタグが取付けられたケーブルを用意してそれぞれのＲＦ−ＩＤタグに接続状態に関する情報を書き込む必要があり、コストや作業工数が増加するという問題がある。また、ＲＦ−ＩＤタグを追加することでケーブルがユニークな情報を持つことになり、それぞれの接続に対し決まったケーブルを使用しなければならず、ケーブルを特定する工数が増える。
【０００８】
本発明は、１つの側面では、結線作業に要する時間を短縮することを目的とする。
【課題を解決するための手段】
【０００９】
１つの態様では、ネットワーク装置は、接続情報記憶部と取得部とガイド部と完了判定部とを有する。前記接続情報記憶部は、ポートを識別するポート識別子と該ポートの接続先ポートを識別する接続先識別情報とを複数のポートの各々について対応付けた接続情報を記憶する。前記取得部は、結線によりリンクアップしたポートから該ポートの接続先ポートを識別する接続先識別情報を取得する。前記ガイド部は、前記取得部により取得された接続先識別情報と前記接続情報記憶部に記憶された接続情報に基づいて結線の状態を判定し、判定結果に基づいて、結線作業をガイドする表示をポートの表示装置に行う。前記完了判定部は、結線対象の全てのポートの結線が前記ガイド部によるガイドに基づいて正しく行われたか否かを判定し、全ての結線が正しく行われたと判定した場合に、前記表示装置を全て用いて結線作業の完了を示す表示を行う。
【発明の効果】
【００１０】
１つの側面では、本発明は、結線作業に要する時間を短縮することができる。
【図面の簡単な説明】
【００１１】
【図１】図１は、実施例１に係る情報通信システムの構成を示す図である。
【図２】図２は、接続情報記憶部の一例を示す図である。
【図３】図３は、右ＬＥＤの表示パターンを示す図である。
【図４Ａ】図４Ａは、コントローラによる処理の第１のシーケンスを示す図である。
【図４Ｂ】図４Ｂは、コントローラによる処理の第２のシーケンスを示す図である。
【図５】図５は、実施例２に係る情報通信システムの構成を示す図である。
【図６】図６は、ネットワーク機器の接続一覧を示す図である。
【図７】図７は、接続情報記憶部の一例を示す図である。
【図８】図８は、実施例３に係る情報通信システムの構成を示す図である。
【図９Ａ】図９Ａは、ネットワーク機器＃１の接続一覧を示す図である。
【図９Ｂ】図９Ｂは、ネットワーク機器＃２の接続一覧を示す図である。
【図１０Ａ】図１０Ａは、ネットワーク機器＃１の接続情報記憶部の一例を示す図である。
【図１０Ｂ】図１０Ｂは、ネットワーク機器＃２の接続情報記憶部の一例を示す図である。
【図１１】図１１は、実施例４に係る情報通信システムの構成を示す図である。
【図１２】図１２は、ネットワーク機器の接続一覧を示す図である。
【図１３】図１３は、接続情報記憶部の一例を示す図である。
【図１４】図１４は、右ＬＥＤの表示パターンを示す図である。
【図１５】図１５は、情報通信システムの処理フローを示すフローチャートである。
【図１６】図１６は、コンピュータブート処理において、ブートされたＯＳがネットワーク機器との結線に関して行う処理のフローを示すフローチャートである。
【図１７Ａ】図１７Ａは、コントローラによる処理の第１のシーケンスを示す図である。
【図１７Ｂ】図１７Ｂは、コントローラによる処理の第２のシーケンスを示す図である。
【図１８】図１８は、実施例５に係る情報通信システムの構成を示す図である。
【図１９Ａ】図１９Ａは、ネットワーク機器＃３の接続一覧を示す図である。
【図１９Ｂ】図１９Ｂは、ネットワーク機器＃４の接続一覧を示す図である。
【図２０Ａ】図２０Ａは、ネットワーク機器＃３の接続情報記憶部の一例を示す図である。
【図２０Ｂ】図２０Ｂは、ネットワーク機器＃４の接続情報記憶部の一例を示す図である。
【図２１】図２１は、右ＬＥＤの表示パターンを示す図である。
【図２２Ａ】図２２Ａは、コントローラによる処理の第１のシーケンスを示す図である。
【図２２Ｂ】図２２Ｂは、コントローラによる処理の第２のシーケンスを示す図である。
【図２２Ｃ】図２２Ｃは、コントローラによる処理の第３のシーケンスを示す図である。
【図２３】図２３は、ネットワーク機器のハードウェア構成を示す図である。
【発明を実施するための形態】
【００１２】
以下に、本願の開示するネットワーク装置、結線確認方法及び結線確認プログラムの実施例を図面に基づいて詳細に説明する。なお、実施例は開示の技術を限定するものではない。
【実施例１】
【００１３】
まず、実施例１に係る情報通信システムの構成について説明する。図１は、実施例１に係る情報通信システムの構成を示す図である。図１において「＃１」、「＃２」、「＃３」及び「＃１２」は、「ポート＃１」、「ポート＃２」、「ポート＃３」及び「ポート＃１２」を表す。図１に示すように、実施例１に係る情報通信システム３は、ネットワーク機器１とコンピュータ２を有する。ネットワーク機器１とコンピュータ２は、３本のケーブルで接続される。ネットワーク機器１のポート＃１はコンピュータ２のポート＃１と接続され、ネットワーク機器１のポート＃２はコンピュータ２のポート＃２と接続され、ネットワーク機器１のポート＃３はコンピュータ２のポート＃３と接続される。なお、ネットワーク機器１とコンピュータ２は、２本以下、あるいは、４本以上のケーブルで接続されてもよい。
【００１４】
ネットワーク機器１は、コントローラ１０と、１２個のポート１６とを有する。なお、ネットワーク機器１は、１１個以下、あるいは、１３個以上のポート１６を有してもよい。ポート１６は、左右２つのＬＥＤ１７を有する。ＬＥＤ１７による表示パターンには、消灯、グリーン点灯、オレンジ点灯、グリーンの点滅、オレンジの点滅、グリーンとオレンジの交互点灯、グリーン点灯とオレンジ点灯と消灯の繰り返しがある。
【００１５】
コントローラ１０は、ネットワーク機器１とコンピュータ２との間の結線の誤りの検出、右ＬＥＤ１７を用いた結線対象ポート１６及び結線状態の表示等を行うことで、作業者による結線作業を支援する。なお、右ＬＥＤ１７は、運用時には、速度通知用に用いられる。速度表示には、グリーン点灯、オレンジ点灯及び消灯が使われる。
【００１６】
コンピュータ２は、ネットワークコントローラ２１と３つのポート２２を有する。なお、コンピュータ２は、２つ以下あるいは４つ以上のポート２２を有してもよい。ネットワークコントローラ２１は、ポート２２を介したネットワーク機器１との通信を制御する。ポート２２は、左右２つのＬＥＤ２３を有する。ＬＥＤ２３による表示パターンは、ＬＥＤ１７の表示パターンと同じである。
【００１７】
コントローラ１０は、接続情報格納部１１と、処理部１３と、通信部１４と、ＬＥＤ制御部１５とを有する。
【００１８】
接続情報格納部１１は、ケーブル結線の期待値情報である接続情報を記憶する接続情報記憶部１２を有し、接続情報の接続情報記憶部１２への書き込み、接続情報の接続情報記憶部１２からの読み出しを行う。また、接続情報格納部１１は、作業者の指示に基づいて接続情報を出力する。
【００１９】
図２は、接続情報記憶部１２の一例を示す図である。図２に示すように、接続情報記憶部１２は、ポート識別子とＭＡＣアドレスと接続チェックとを対応付けて、ネットワーク機器１の結線されるポート１６毎に記憶する。ポート識別子は、ネットワーク機器１の結線されるポート１６を識別する識別子である。ＭＡＣアドレスは、ポート１６の接続先（コンピュータ２のポート２２）のＭＡＣアドレスである。接続チェックは、接続がチェック済みであるか否かを示す。空欄は未チェックであることを示し、「ＯＫ」はチェックの結果、接続が正しいことを示す。例えば、ポート＃１の接続先のＭＡＣアドレスは「ＸＸ：ＸＸ：ＸＸ：ＸＸ：ＸＸ：ＸＸ」であり、接続は未チェックである。
【００２０】
処理部１３は、結線されたポート１６の接続先のＭＡＣアドレスと接続情報記憶部１２が記憶する接続情報とに基づいて、結線状態を判定し、判定結果に基づいて右ＬＥＤ１７の表示をＬＥＤ制御部１５に指示する。
【００２１】
処理部１３は、取得部３１と、ガイド部３２と、完了判定部３３とを有する。取得部３１は、リンクアップしたポート１６の接続先のＭＡＣアドレスを取得する。
【００２２】
ガイド部３２は、取得部３１が取得したＭＡＣアドレスに接続情報で対応付けられるポート１６とリンクアップしたポート１６を比較することで、結線状態を判定する。
【００２３】
具体的には、ガイド部３２は、取得部３１が取得したＭＡＣアドレスに接続情報で対応付けられるポート１６とリンクアップしたポート１６が等しい場合には、接続が正しいと判定する。また、ガイド部３２は、取得部３１が取得したＭＡＣアドレスに接続情報で対応付けられるポート１６がリンクアップしたポート１６と異なる場合には、接続情報で対応付けられる別のポート１６に対して結線が行われるべきと判定する。また、ガイド部３２は、取得部３１が取得したＭＡＣアドレスに接続情報で対応付けられるポート１６がない場合には、接続するポート１６がないと判定する。
【００２４】
そして、ガイド部３２は、結線が正しいと判定した場合には、リンクアップしたポート１６の右ＬＥＤ１７をグリーン点滅するようにＬＥＤ制御部１５に指示し、接続情報の接続チェック欄を「ＯＫ」とする。また、ガイド部３２は、接続情報で対応付けられる別のポート１６に対して結線が行われるべきと判定した場合には、正しいポート１６の右ＬＥＤ１７をグリーンとオレンジに交互点灯するようにＬＥＤ制御部１５に指示する。また、ガイド部３２は、接続するポート１６がない場合には、リンクアップしたポート１６の右ＬＥＤ１７に対してグリーン点灯とオレンジ点灯と消灯を繰り返すようにＬＥＤ制御部１５に指示する。
【００２５】
完了判定部３３は、接続情報の接続チェック欄に空欄があるか否かを判定することで、結線作業が完了したか否か、すなわち、結線対象の全てのポートの結線が行われたか否かを判定する。そして、完了判定部３３は、結線作業が完了した場合には、全てのポート１６の右ＬＥＤ１７を１０秒間グリーン点滅するようにＬＥＤ制御部１５に指示する。
【００２６】
図３は、右ＬＥＤ１７の表示パターンを示す図である。図３に示すように、右ＬＥＤ１７のグリーン点滅は、ポート１６の接続が正しいことを示す。グリーンとオレンジの交互点灯は、ポート１６の接続が正しくない場合に、正しい接続先ポート１６を指示する。全てのポート１６がグリーン点滅は、結線作業の完了を示す。グリーン点灯とオレンジ点灯と消灯の繰り返しは、接続するポート１６がないことを示す。
【００２７】
通信部１４は、ポート１６を介して接続先のコンピュータ２と通信する。例えば、通信部１４は、接続先のＭＡＣアドレスを取得する。ＬＥＤ制御部１５は、処理部１３の指示に基づいて右ＬＥＤ１７の表示を制御する。
【００２８】
次に、コントローラ１０による処理のシーケンスについて説明する。図４Ａ及び図４Ｂは、コントローラ１０による処理のシーケンスを示す図である。図４Ａに示すように、接続情報格納部１１は、作業者が作成した接続情報を格納する（ｔ１）。例えば、作業者は、ネットワーク機器１のコンソールから接続情報を入力する。
【００２９】
そして、作業者によりコンピュータ２とネットワーク機器１が結線されると、通信部１４は、処理部１３にネットワーク機器１のポート１６のリンクアップを通知する（ｔ２）。そして、処理部１３は、リンクアップしたポート１６の接続先のＭＡＣアドレスを確認する（ｔ３）。このため、通信部１４は、リンクアップしたポート１６にＭＡＣアドレス要求を送信する（ｔ４）。そして、コンピュータ２がＭＡＣアドレスを応答すると、通信部１４は、処理部１３に、応答されたＭＡＣアドレスを通知する（ｔ５）。
【００３０】
そして、処理部１３が接続情報を読込む（ｔ６）と、接続情報格納部１１が接続情報を回答する（ｔ７）。そして、処理部１３は、接続情報から、応答されたＭＡＣアドレスを検索し（ｔ８）、応答されたＭＡＣアドレスが接続情報に存在するか否かを判定する（ｔ９）。
【００３１】
そして、応答されたＭＡＣアドレスが接続情報に存在しない場合には、ＬＥＤ制御部１５は、リンクアップしたポート１６の右ＬＥＤ１７のグリーン点灯とオレンジ点灯と消灯を繰り返す（ｔ１０）。そして、リンクアップしたポート１６の右ＬＥＤ１７のグリーン点灯とオレンジ点灯と消灯の繰り返しを見た作業者が結線したケーブルを取り外すと、通信部１４は、処理部１３にリンクダウンしたことを通知する（ｔ１１）。そして、処理部１３は、ＬＥＤ制御部１５にリンクダウンしたポート１６の右ＬＥＤ１７の消灯を指示する（ｔ１２）。そして、ＬＥＤ制御部１５は、対象ポート１６の右ＬＥＤ１７を消灯する（ｔ１３）。そして、コントローラ１０は、図４Ｂのｔ２２へ進む。
【００３２】
一方、応答されたＭＡＣアドレスが接続情報に存在する場合には、図４Ｂに示すように、処理部１３は、応答されたＭＡＣアドレスに接続情報で対応付けられるポート１６がリンクアップしたポート１６と同じか否かを判定する（ｔ１４）。そして、２つのポート１６が同じ場合には、コントローラ１０は、ｔ１７へ進む。
【００３３】
一方、２つのポート１６が同じでない場合には、処理部１３の指示に基づいて、ＬＥＤ制御部１５は、接続情報に基づく正しい接続先ポート１６の右ＬＥＤ１７をグリーンとオレンジに交互点灯する（ｔ１５）。そして、作業者が、ネットワーク機器側のケーブルコネクタを、右ＬＥＤ１７がグリーンとオレンジに交互点灯しているポート１６に接続すると、処理部１３は、リンクアップしたポート１６からＭＡＣアドレスの応答を取得する。そして、処理部１３は、応答されたＭＡＣアドレスに接続情報で対応付けられるポート１６がリンクアップしたポート１６と同じか否かを判定する（ｔ１６）。そして、２つのポート１６が同じでない場合には、コントローラ１０は、ｔ１５へ戻る。
【００３４】
一方、２つのポート１６が同じ場合には、処理部１３の指示に基づいて、ＬＥＤ制御部１５は、対象ＭＡＣアドレスの接続ポート１６の右ＬＥＤ１７をグリーンに点滅する（ｔ１７）。そして、処理部１３は、接続情報の接続チェック欄に「ＯＫ」を記録し（ｔ１８）、接続情報格納部１１は、処理部１３の指示に基づいて、接続情報を更新する（ｔ１９）。
【００３５】
そして、処理部１３は、ＬＥＤ制御部１５に対象ポート１６の右ＬＥＤ１７の消灯を指示する（ｔ２０）。そして、ＬＥＤ制御部１５は、対象ポート１６の右ＬＥＤ１７を消灯する（ｔ２１）。そして、処理部１３は、接続情報の接続チェック欄に空欄がないか否かを判定し（ｔ２２）、空欄がある場合には、コントローラ１０は、ｔ２に戻って作業者による次の結線を待つ。
【００３６】
一方、接続情報の接続チェック欄に空欄がない場合には、処理部１３の指示に基づいて、ＬＥＤ制御部１５は、ネットワーク機器１の全てのポート１６の右ＬＥＤ１７を１０秒間グリーン点滅する（ｔ２３）。その後、作業者が接続情報の出力を指示すると、接続情報格納部１１は、接続情報を出力する（ｔ２４）。
【００３７】
上述してきたように、実施例１では、接続情報記憶部１２が接続情報を記憶し、取得部３１が、リンクアップしたポート１６の接続先のＭＡＣアドレスを取得する。そして、ガイド部３２が、取得部３１が取得したＭＡＣアドレスと接続情報に基づいて、結線作業をガイドする表示パターンを右ＬＥＤ１７に表示するようにＬＥＤ制御部１５に指示する。そして、完了判定部３３が、結線作業が完了したか否かを判定し、結線作業が完了した場合に全てのポート１６の右ＬＥＤ１７を１０秒間グリーン点滅するようにＬＥＤ制御部１５に指示する。したがって、ネットワーク機器１は、作業者の結線作業を支援することができ、結線作業に要する時間を短縮することができる。また、コンピュータ２のＭＡＣアドレスを取得することでケーブル結線後の導通確認を行うことができるので、ケーブル結線の確認工数を減らすことができる。
【００３８】
また、実施例１では、ガイド部３２は、結線が正しいと判定した場合には、リンクアップしたポート１６の右ＬＥＤ１７がグリーン点滅するようにＬＥＤ制御部１５に指示する。また、ガイド部３２は、別のポート１６に対して結線が行われるべきと判定した場合には、正しいポート１６の右ＬＥＤ１７がグリーンとオレンジに交互点灯するようにＬＥＤ制御部１５に指示する。また、ガイド部３２は、接続するポート１６がない場合には、リンクアップしたポート１６の右ＬＥＤ１７がグリーン点灯とオレンジ点灯と消灯とを繰り返すようにＬＥＤ制御部１５に指示する。したがって、作業者は、結線状態を簡単に把握し、次に行うべき作業を簡単に特定することができる。
【実施例２】
【００３９】
ところで、上記実施例１では、ネットワーク機器１に接続するコンピュータ２が１台の場合について説明したが、ネットワーク機器１に接続するコンピュータ２の台数を複数とすることもできる。そこで、実施例２では、ネットワーク機器１に接続するコンピュータ２が２台の場合について説明する。
【００４０】
図５は、実施例２に係る情報通信システムの構成を示す図である。図５に示すように、実施例２に係る情報通信システム３ａは、コンピュータＡ及びコンピュータＢで表される２台のコンピュータ２がネットワーク機器１に接続する。
【００４１】
図６は、ネットワーク機器１の接続一覧を示す図である。図６に示すように、ネットワーク機器１のポート＃１はコンピュータＡのポート＃１と接続され、コンピュータＡのポート＃１のＭＡＣアドレスは「００：００：００：０１：００：０１」である。ネットワーク機器１のポート＃２はコンピュータＡのポート＃２と接続され、コンピュータＡのポート＃２のＭＡＣアドレスは「００：００：００：０１：００：０２」である。
【００４２】
ネットワーク機器１のポート＃３はコンピュータＢのポート＃１と接続され、コンピュータＢのポート＃１のＭＡＣアドレスは「００：００：００：０２：００：０１」である。ネットワーク機器１のポート＃１１はコンピュータＡのポート＃３と接続され、コンピュータＡのポート＃３のＭＡＣアドレスは「００：００：００：０１：０１：０３」である。ネットワーク機器１のポート＃１２はコンピュータＢのポート＃３と接続され、コンピュータＢのポート＃３のＭＡＣアドレスは「００：００：００：０２：０１：０３」である。
【００４３】
図７は、接続情報記憶部１２の一例を示す図である。図７に示すように、接続情報記憶部１２は、ネットワーク機器１のポート＃１、ポート＃２、ポート＃３、ポート＃１１及びポート＃１２について接続先のＭＡＣアドレスを記憶する。
【００４４】
コントローラ１０による処理のシーケンスは、図４Ａ及び図４Ｂに示した処理のシーケンスと同じであるので、以下では、コントローラ１０による処理シーケンスの例について説明する。
【００４５】
作業者がコンピュータＡのポート＃１をネットワーク機器１の適当なポート１６（例えば若い番号順とし、ここではポート＃１）に接続すると、通信部１４が、ポート＃１のリンクアップを検知する。そして、通信部１４は、リンクアップしたポート＃１からＭＡＣアドレス要求を送信し、応答されたＭＡＣアドレス「００：００：００：０１：００：０１」を処理部１３へ通知する。
【００４６】
処理部１３は、応答されたＭＡＣアドレス「００：００：００：０１：００：０１」と接続情報記憶部１２に記憶されたＭＡＣアドレスを比較する。接続情報記憶部１２にＭＡＣアドレス「００：００：００：０１：００：０１」がポート＃１に対応付けて記憶されているため、処理部１３は、ポート＃１の右ＬＥＤ１７をグリーンに点滅させる。そして、処理部１３は、接続情報記憶部１２のポート＃１の接続チェック欄に「ＯＫ」を記録する。
【００４７】
そして、ＬＥＤ制御部１５が、ポート＃１の右ＬＥＤ１７を消灯する。右ＬＥＤ１７の消灯後、接続情報記憶部１２の接続チェック欄に空欄があるため、ＬＥＤ制御部１５は、全ポート１６のグリーン点滅を行わない。全ポート１６のグリーン点滅が行われないため、作業者がコンピュータＡのポート＃２とネットワーク機器１のポート＃２を接続すると、処理部１３は、正しい接続と判定し、ＬＥＤ制御部１５にポート＃２の右ＬＥＤ１７をグリーンに点滅させる。そして、処理部１３は、接続情報記憶部１２のポート＃２の接続チェック欄に「ＯＫ」を記録する。
【００４８】
そして、ＬＥＤ制御部１５が、ポート＃２の右ＬＥＤ１７を消灯する。右ＬＥＤ１７の消灯後、接続情報記憶部１２の接続チェック欄に空欄があるため、ＬＥＤ制御部１５は、全ポート１６のグリーン点滅を行わない。全ポート１６のグリーン点滅が行われないため、作業者がコンピュータＡのポート＃３とネットワーク機器１のポート＃３を接続すると、処理部１３は、ＭＡＣアドレス「００：００：００：０１：０１：０３」を取得する。
【００４９】
そして、処理部１３は、取得したＭＡＣアドレス「００：００：００：０１：０１：０３」と接続情報記憶部１２に記憶されたＭＡＣアドレスを比較する。すると、ＭＡＣアドレス「００：００：００：０１：０１：０３」はポート＃１１に紐付けられているため、ＬＥＤ制御部１５は、ポート＃１１の右ＬＥＤ１７をグリーンとオレンジに交互点灯する。そして、作業者が接続したネットワーク機器側のコネクタを取り外し、グリーンとオレンジに交互点灯しているポート＃１１に再結線すると、処理部１３は、ポート＃１１の右ＬＥＤ１７をグリーンに点滅させる。そして、処理部１３は、接続情報記憶部１２のポート＃１１の接続チェック欄に「ＯＫ」を記録する。
【００５０】
そして、ＬＥＤ制御部１５が、ポート＃１１の右ＬＥＤ１７を消灯する。右ＬＥＤ１７の消灯後、接続情報記憶部１２の接続チェック欄に空欄があるため、ＬＥＤ制御部１５は、全ポート１６のグリーン点滅を行わない。全ポート１６のグリーン点滅が行われないため、作業者がコンピュータＢのポート＃１とネットワーク機器１のポート＃３を接続すると、処理部１３は、正しい接続なので、ＬＥＤ制御部１５にポート＃３の右ＬＥＤ１７をグリーンに点滅させる。そして、処理部１３は、接続情報記憶部１２のポート＃３の接続チェック欄に「ＯＫ」を記録する。
【００５１】
そして、ＬＥＤ制御部１５が、ポート＃３の右ＬＥＤ１７を消灯する。右ＬＥＤ１７の消灯後、接続情報記憶部１２の接続チェック欄に空欄があるため、ＬＥＤ制御部１５は、全ポート１６のグリーン点滅を行わない。全ポート１６のグリーン点滅が行われないため、作業者がコンピュータＢのポート＃２とネットワーク機器１のポート＃４を接続すると、処理部１３は、コンピュータＢのポート＃２のＭＡＣアドレスは接続情報記憶部１２にないと判定する。
【００５２】
そして、ＬＥＤ制御部１５は、ポート＃４の右ＬＥＤ１７でグリーン点灯とオレンジ点灯と消灯を繰り返す。そして、作業者が結線したケーブルを取り外すと、ＬＥＤ制御部１５は、ポート＃４の右ＬＥＤ１７を消灯する。右ＬＥＤ１７の消灯後、接続情報記憶部１２の接続チェック欄に空欄があるため、ＬＥＤ制御部１５は、全ポート１６のグリーン点滅を行わない。全ポート１６のグリーン点滅が行われないため、作業者がコンピュータＢのポート＃３とネットワーク機器１のポート＃４を接続すると、処理部１３は、ＭＡＣアドレス「００：００：００：０２：０１：０３」を取得する。
【００５３】
そして、処理部１３は、取得したＭＡＣアドレス「００：００：００：０２：０１：０３」と接続情報記憶部１２に記憶されたＭＡＣアドレスを比較する。ＭＡＣアドレス「００：００：００：０２：０１：０３」はポート＃１２に紐付けられているため、ＬＥＤ制御部１５は、ポート＃１２の右ＬＥＤ１７をグリーンとオレンジに交互点灯する。そして、作業者が接続したネットワーク機器側のコネクタを取り外し、グリーンとオレンジに交互点灯しているポート＃１２に再結線すると、処理部１３は、ＬＥＤ制御部１５にポート＃１２の右ＬＥＤ１７をグリーンに点滅させる。そして、処理部１３は、接続情報記憶部１２のポート＃１２の接続チェック欄に「ＯＫ」を記録する。
【００５４】
そして、ＬＥＤ制御部１５が、ポート＃１２の右ＬＥＤ１７を消灯する。右ＬＥＤ１７の消灯後、接続情報記憶部１２の接続チェック欄に空欄がないため、ＬＥＤ制御部１５は、ネットワーク機器１の全てのポート１６の右ＬＥＤ１７を１０秒間グリーンに点滅する。そして、作業者が結線完了を確認して接続情報の出力を指示すると、接続情報格納部１１が接続情報を出力する。
【００５５】
上述してきたように、実施例２では、接続情報記憶部１２がネットワーク機器１と接続される２台のコンピュータ２のポート２２のＭＡＣアドレスを記憶することで、ネットワーク機器１は、２台のコンピュータ２との結線を支援することができる。
【実施例３】
【００５６】
実施例３では、ネットワーク機器１が２台の場合について説明する。図８は、実施例３に係る情報通信システムの構成を示す図である。図８に示すように、実施例３に係る情報通信システム３ｂは、ネットワーク機器＃１とネットワーク機器＃２で表される２台のネットワーク機器１と、コンピュータＡ及びコンピュータＢで表される２台のコンピュータ２とを有する。ネットワーク機器＃１は、コントローラ＃１で表されるコントローラ１０を有し、ネットワーク機器＃２は、コントローラ＃２で表されるコントローラ１０を有する。
【００５７】
図９Ａは、ネットワーク機器＃１の接続一覧を示す図であり、図９Ｂは、ネットワーク機器＃２の接続一覧を示す図である。図９Ａに示すように、ネットワーク機器＃１のポート＃１はコンピュータＡのポート＃１と接続され、コンピュータＡのポート＃１のＭＡＣアドレスは「００：００：００：０１：００：０１」である。ネットワーク機器＃１のポート＃２はコンピュータＢのポート＃１と接続され、コンピュータＢのポート＃１のＭＡＣアドレスは「００：００：００：０２：００：０１」である。ネットワーク機器＃１のポート＃１１はコンピュータＡのポート＃３と接続され、コンピュータＡのポート＃３のＭＡＣアドレスは「００：００：００：０１：００：０３」である。
【００５８】
図９Ｂに示すように、ネットワーク機器＃２のポート＃１はコンピュータＡのポート＃２と接続され、コンピュータＡのポート＃２のＭＡＣアドレスは「００：００：００：０１：００：０２」である。
【００５９】
図１０Ａは、ネットワーク機器＃１の接続情報記憶部１２の一例を示す図である。図１０Ａに示すように、ネットワーク機器＃１の接続情報記憶部１２は、ネットワーク機器＃１のポート＃１、ポート＃２及びポート＃１１について接続先のＭＡＣアドレスを記憶する。
【００６０】
図１０Ｂは、ネットワーク機器＃２の接続情報記憶部１２の一例を示す図である。図１０Ｂに示すように、ネットワーク機器＃２の接続情報記憶部１２は、ネットワーク機器＃２のポート＃１について接続先のＭＡＣアドレスを記憶する。
【００６１】
ネットワーク機器１が複数ある場合、コントローラ１０は、ネットワーク機器毎に、図４Ａ及び図４Ｂに示した処理のシーケンスを実行する。
【００６２】
作業者がネットワーク機器＃１のポート＃１に対してコンピュータＡのポート＃１を接続すると、接続が正しいので、コントローラ＃１のＬＥＤ制御部１５は、ポート＃１の右ＬＥＤ１７をグリーン点滅する。
【００６３】
そして、作業者がコンピュータＡのポート＃２をネットワーク機器＃１のいずれかのポート１６に接続する。すると、コンピュータＡのポート＃２については、接続情報記憶部１２がＭＡＣアドレスを記憶していない。このため、コントローラ＃１のＬＥＤ制御部１５は、リンクアップしたポート１６の右ＬＥＤ１７にグリーン点灯とオレンジ点灯と消灯を繰り返す表示パターンを表示する。ネットワーク機器＃１と接続がないため、コンピュータＡのポート＃２のケーブルは作業者により取り外される。
【００６４】
そして、作業者がネットワーク機器＃１のポート＃２に対してコンピュータＡのポート＃３を接続すると、コントローラ＃１のＬＥＤ制御部１５は、ポート＃１１の右ＬＥＤ１７をグリーンとオレンジに交互点灯し、作業者にポート＃１１に接続変更させる。
【００６５】
その後、コントローラ＃１は、コンピュータＢに関して同様の処理を実施し、作業者にコンピュータＢのポート＃１をネットワーク機器＃１のポート＃２に接続させる。コンピュータＢのポート＃１の接続が完了すると接続情報記憶部１２の接続チェック欄が全て「ＯＫ」となるため、コントローラ＃１のＬＥＤ制御部１５は、全てのポート１６の右ＬＥＤ１７を１０秒間グリーンに点滅させる。
【００６６】
ネットワーク機器＃１について結線が完了したため作業者がネットワーク機器＃２のポート＃１にコンピュータＡのポート＃２を接続すると、コントローラ＃２のＬＥＤ制御部１５は、ポート＃１について右ＬＥＤ１７をグリーン点滅する。そして、コントローラ＃２の処理部１３は、接続情報記憶部１２のポート＃１の接続チェック欄に「ＯＫ」を記録する。そして、接続情報記憶部１２の接続チェック欄が全て「ＯＫ」となるため、コントローラ＃２のＬＥＤ制御部１５は、全てのポート１６の右ＬＥＤ１７を１０秒間グリーン点滅する。
【００６７】
そして、作業者がネットワーク機器＃１及びネットワーク機器＃２に対して接続情報の出力を指示すると、ネットワーク機器＃１及びネットワーク機器＃２の接続情報格納部１１がそれぞれ接続情報を出力する。
【００６８】
上述してきたように、実施例３では、各ネットワーク機器１が接続情報を記憶し、接続情報に基づいてポート１６の右ＬＥＤ１７の表示を行うので、ネットワーク機器１が複数ある場合でも、作業者のケーブル結線を支援することができる。
【実施例４】
【００６９】
実施例１〜３では、ネットワーク機器１だけが接続情報を記憶し、コンピュータ側のポート２２については、どのポート２２がネットワーク機器１と接続されるかが不明であるため、接続のないポート２２についても作業者は一度接続して確認する必要がある。そこで、実施例４では、コンピュータにも接続情報を記憶させ、コンピュータ側のポート２２の不要な接続をなくす情報通信システムについて説明する。
【００７０】
図１１は、実施例４に係る情報通信システムの構成を示す図である。なお、ここでは説明の便宜上、図１に示した各部と同様の役割を果たす機能部については同一符号を付すこととしてその詳細な説明を省略する。図１１に示すように、実施例４に係る情報通信システム３ｃは、ネットワーク機器１ｃとコンピュータＣ及びコンピュータＤで表される２台のコンピュータ２ｃを有する。
【００７１】
図１２は、ネットワーク機器１ｃの接続一覧を示す図である。図１２に示すように、ネットワーク機器１ｃのポート＃１はコンピュータＣのポート＃１と接続され、コンピュータＣのポート＃１のＭＡＣアドレスは「００：００：００：０１：００：０４」である。ネットワーク機器１ｃのポート＃１２はコンピュータＣのポート＃２と接続され、コンピュータＣのポート＃２のＭＡＣアドレスは「００：００：００：０１：００：０５」である。
【００７２】
ネットワーク機器１ｃのポート＃３はコンピュータＤのポート＃１と接続され、コンピュータＤのポート＃１のＭＡＣアドレスは「００：００：００：０２：００：０２」である。ネットワーク機器１ｃのポート＃９はコンピュータＣのポート＃３と接続され、コンピュータＣのポート＃３のＭＡＣアドレスは「００：００：００：０１：０１：０６」である。
【００７３】
ネットワーク機器１ｃは、図１に示したネットワーク機器１と比較して、コントローラ１０の代わりにコントローラ１０ｃを有する。コンピュータ２ｃは、図１に示したコンピュータ２と比較して、ＯＳブートデバイス２４ｃを新たに有する。また、コンピュータ２ｃでは、ＯＳ２６ｃが動作する。
【００７４】
ＯＳブートデバイス２４ｃは、ＯＳ２６ｃと接続情報を記憶するデバイスである。コンピュータ２ｃの電源が投入されると、ＯＳブートデバイス２４ｃからＯＳ２６ｃと接続情報が読み出されてＯＳ２６ｃが実行される。接続情報は、後述する接続情報記憶部１２ｃが記憶する接続情報と同じである。
【００７５】
コントローラ１０ｃは、図１に示したコントローラ１０と比較して、接続情報格納部１１の代わりに接続情報格納部１１ｃを有し、処理部１３の代わりに処理部１３ｃを有し、ＬＥＤ制御部１５の代わりにＬＥＤ制御部１５ｃを有する。
【００７６】
接続情報格納部１１ｃは、図１に示した接続情報格納部１１と比較して、接続情報記憶部１２の代わりに接続情報記憶部１２ｃを有する。図１３は、接続情報記憶部１２ｃの一例を示す図である。図１３に示すように、接続情報記憶部１２ｃは、図２に示した接続情報記憶部１２と比較して、コンピュータ識別子と接続フラグを追加で記憶する。また、接続情報記憶部１２ｃは、コンピュータＣ及びコンピュータＤの全てのポート２２についての情報を記憶する。
【００７７】
コンピュータ識別子は、コンピュータ２ｃを識別する識別子である。接続フラグは、コンピュータ２ｃのポート２２との接続を示し、ネットワーク機器１ｃに接続されるポート２２は「１」であり、ネットワーク機器１ｃに接続されないポート２２は「０」である。図１３では、コンピュータＣの３つのポート２２とコンピュータＤの１つのポート２２はネットワーク機器１ｃと接続され、コンピュータＤの２つのポート２２はネットワーク機器１ｃと接続されない。
【００７８】
ＯＳ２６ｃは、起動されると、接続情報記憶部１２ｃが記憶する接続情報と同じ接続情報を参照して、自身が動作するコンピュータ２ｃのポート２２のうち接続フラグが「１」であるポート２２の右ＬＥＤ２３をオレンジに点滅する。したがって、作業者が右ＬＥＤ２３がオレンジに点滅しているポート２２とネットワーク機器１ｃのポート１６を接続することで、リンクアップしたポート１６から取得されるＭＡＣアドレスは接続情報記憶部１２ｃに記憶されていることになる。
【００７９】
処理部１３ｃは、図１に示した処理部１３と比較して、ガイド部３２の代わりにガイド部３２ｃを有し、完了判定部３３の代わりに完了判定部３３ｃを有する。
【００８０】
ガイド部３２ｃは、ガイド部３２と同様に、取得部３１が取得したＭＡＣアドレスに接続情報で対応付けられるポート１６とリンクアップしたポート１６を比較することで、結線状態を判定する。ただし、作業者が右ＬＥＤ２３がオレンジに点滅しているポート２２とポート１６を接続すれば、リンクアップしたポート１６から取得されたＭＡＣアドレスは接続情報記憶部１２ｃに記憶されているので、接続するポート１６がない状態はない。
【００８１】
また、ガイド部３２ｃは、接続情報記憶部１２ｃを用いて、リンクアップしたポート１６から取得されたＭＡＣアドレスに紐づくコンピュータ２ｃを特定し、特定したコンピュータ２ｃと接続する全てのポート１６の右ＬＥＤ１７をオレンジ点滅対象として特定する。例えば、図１３において、リンクアップしたポート１６がポート＃１であるとすると、ガイド部３２ｃは、ポート＃１、ポート＃１２及びポート＃９の右ＬＥＤ１７をオレンジ点滅対象とする。
【００８２】
完了判定部３３ｃは、接続情報の接続チェック欄と接続フラグ欄を用いて、コンピュータ２ｃ毎に結線作業が完了したか否かを判定し、結線作業が完了した場合には、全てのポート１６のオレンジ点滅を消灯するようにＬＥＤ制御部１５ｃに指示する。また、完了判定部３３ｃは、接続情報の接続チェック欄と接続フラグ欄を用いて結線作業が完了したか否かを判定し、結線作業が完了した場合には、全てのポート１６の右ＬＥＤ１７を１０秒間グリーン点滅するようにＬＥＤ制御部１５ｃに指示する。
【００８３】
ＬＥＤ制御部１５ｃは、図１に示したＬＥＤ制御部１５と同様に処理部１３ｃの指示に基づいて右ＬＥＤ１７の表示を制御するが、ＬＥＤ制御部１５と比較して表示パターンが２つ増える。
【００８４】
図１４は、右ＬＥＤ１７及び右ＬＥＤ２３の表示パターンを示す図である。図１４では、図３と比較して、オレンジ点滅と、全てのポート１６がグリーン点灯とオレンジ点灯と消灯の繰り返しの２つの表示パターンが追加されている。オレンジ点滅は、ネットワーク機器１ｃ及びコンピュータ２ｃにおいて、正しい接続対象を指示する。また、全てのポート１６によるグリーン点灯とオレンジ点灯と消灯の繰り返しは、コンピュータ２ｃにおいて、接続情報の誤りを示す。
【００８５】
図１５は、情報通信システム３ｃの処理フローを示すフローチャートである。図１５に示すように、情報通信システム３ｃは、ネットワーク機器１ｃに接続情報を格納する（ステップＳ１）。そして、情報通信システム３ｃは、コンピュータ２ｃにより、コンピュータブート処理を行う（ステップＳ２）。そして、情報通信システム３ｃは、ネットワーク機器１ｃにより、ネットワーク機器接続処理を行う（ステップＳ３）。
【００８６】
そして、情報通信システム３ｃは、コンピュータ２ｃにより、コンピュータシャットダウンを行う（ステップＳ４）。そして、情報通信システム３ｃは、ネットワーク機器１ｃにより、接続情報抽出を行う（ステップＳ５）。
【００８７】
図１６は、コンピュータブート処理において、ブートされたＯＳ２６ｃがネットワーク機器１ｃとの結線に関して行う処理のフローを示すフローチャートである。なお、ＯＳ２６ｃは、ＯＳブートデバイス２４ｃが接続されて電源が投入されるとＯＳブートデバイス２４ｃからブートされて実行される。また、コンピュータブート処理は、コンピュータ毎に行われる。
【００８８】
図１６に示すように、ＯＳ２６ｃは、自装置のいずれかのポート２２のＭＡＣアドレスが接続情報にあるか否かを判定し（ステップＳ１１）、ある場合には、接続情報においてＭＡＣアドレスに紐づくコンピュータ２ｃを特定する（ステップＳ１２）。接続情報においてＭＡＣアドレスに紐づくコンピュータ２ｃは、自身が実行されているコンピュータ２ｃである。そして、ＯＳ２６ｃは、特定したコンピュータ２ｃに紐づくＭＡＣアドレスのうち、接続フラグが「１」の全ポート２２の右ＬＥＤ２３をオレンジに点滅する（ステップＳ１３）。
【００８９】
例えば、図１３において、コンピュータＣでブートされたＯＳ２６ｃは、自装置のいずれかのポート２２のＭＡＣアドレスに紐づくコンピュータ２ｃとしてコンピュータＣを特定する。そして、コンピュータＣでブートされたＯＳ２６ｃは、コンピュータＣの３つのＭＡＣアドレスの接続フラグが１であるので、３つのＭＡＣアドレスのポート２２の右ＬＥＤ２３をオレンジに点滅する。ここで、３つのＭＡＣアドレスは、「００：００：００：０１：００：０４」と「００：００：００：０１：００：０５」と「００：００：００：０１：０１：０６」である。
【００９０】
自装置のいずれのポート２２のＭＡＣアドレスも接続情報にない場合には、ＯＳ２６ｃは、全てのポート２２の右ＬＥＤ２３をグリーン点灯とオレンジ点灯と消灯の表示パターンで点灯させる（ステップＳ１４）。その後、作業者はコンピュータ２ｃをシャットダウンし、ＯＳブートデバイス２４ｃの接続情報を正しいものに入れ替える。そして、コンピュータブート処理が再度実行される。
【００９１】
このように、ＯＳ２６ｃは、自装置のＭＡＣアドレスのうち接続フラグが「１」の全ポート２２の右ＬＥＤ２３をオレンジに点滅することで、ネットワーク機器１との接続対象を指示するので、作業者による結線を支援することができる。
【００９２】
図１７Ａ及び図１７Ｂは、コントローラ１０ｃによる処理のシーケンスを示す図である。図１７Ａに示すように、接続情報格納部１１ｃは、作業者が作成した接続情報を格納する（ｔ３１）。
【００９３】
そして、コンピュータ２ｃにおいて右ＬＥＤ２３がオレンジに点滅しているポート２２とネットワーク機器１ｃを作業者が結線すると、通信部１４は、処理部１３ｃにネットワーク機器１ｃのポート１６のリンクアップを通知する（ｔ３２）。そして、処理部１３ｃは、リンクアップしたポート１６の接続先のＭＡＣアドレスを確認する（ｔ３３）。このため、通信部１４は、リンクアップしたポート１６にＭＡＣアドレス要求を送信する（ｔ３４）。そして、コンピュータ２ｃがＭＡＣアドレスを応答すると、通信部１４は、処理部１３ｃに、応答されたＭＡＣアドレスを通知する（ｔ３５）。
【００９４】
そして、処理部１３ｃが接続情報を読込む（ｔ３６）と、接続情報格納部１１ｃが接続情報を回答する（ｔ３７）。そして、処理部１３ｃは、接続情報から、応答されたＭＡＣアドレスに紐づくコンピュータ２ｃを特定し（ｔ３８）、特定したコンピュータ２ｃと接続する全ポート１６の右ＬＥＤ１７のオレンジ点滅をＬＥＤ制御部１５ｃに指示する（ｔ３９）。そして、ＬＥＤ制御部１５ｃは、該当ポート１６の右ＬＥＤ１７をオレンジに点滅する（ｔ４０）。
【００９５】
そして、処理部１３ｃは、応答されたＭＡＣアドレスに接続情報で対応付けられるポート１６がリンクアップしたポート１６と同じか否かを判定する（ｔ４１）。そして、２つのポート１６が同じ場合には、コントローラ１０ｃは、ｔ４４へ進む。
【００９６】
一方、２つのポート１６が同じでない場合には、処理部１３ｃの指示に基づいて、ＬＥＤ制御部１５ｃは、接続情報に基づく正しい接続先ポート１６の右ＬＥＤ１７をグリーンとオレンジに交互点灯する（ｔ４２）。そして、図１７Ｂに示すように、作業者が、ネットワーク機器側のケーブルコネクタを、右ＬＥＤ１７がグリーンとオレンジに交互点灯しているポート１６に接続すると、処理部１３ｃは、リンクアップしたポート１６からＭＡＣアドレスの応答を取得する。そして、処理部１３ｃは、応答されたＭＡＣアドレスに接続情報で対応付けられるポート１６がリンクアップしたポート１６と同じか否かを判定する（ｔ４３）。そして、２つのポート１６が同じでない場合には、コントローラ１０ｃは、ｔ４２へ戻る。
【００９７】
一方、２つのポート１６が同じ場合には、処理部１３ｃの指示に基づいて、ＬＥＤ制御部１５ｃは、対象ＭＡＣアドレスの接続ポート１６の右ＬＥＤ１７をグリーンに点滅する（ｔ４４）。そして、処理部１３ｃは、接続情報の接続チェック欄に「ＯＫ」を記録し（ｔ４５）、接続情報格納部１１ｃは、処理部１３ｃの指示に基づいて、接続情報を更新する（ｔ４６）。
【００９８】
そして、処理部１３ｃは、ＬＥＤ制御部１５ｃに対象ポート１６の右ＬＥＤ１７のオレンジ点滅を指示する（ｔ４７）。そして、ＬＥＤ制御部１５ｃは、対象ポート１６の右ＬＥＤ１７をオレンジに点滅する（ｔ４８）。そして、処理部１３ｃは、特定したコンピュータ２ｃの接続フラグが「１」のポート１６について接続チェック欄に空欄がないか否かを判定する（ｔ４９）。そして、空欄がある場合には、コントローラ１０ｃは、ｔ３２に戻って作業者がコンピュータ２ｃとネットワーク機器１ｃのオレンジ点滅しているポート１６を結線するのを待つ。
【００９９】
一方、特定したコンピュータ２ｃの接続フラグが「１」のポート１６について接続チェック欄に空欄がない場合には、処理部１３ｃの指示に基づいて、ＬＥＤ制御部１５ｃは、全てのポート１６の右ＬＥＤ１７のオレンジ点滅を消灯する（ｔ５０）。そして、処理部１３ｃは、接続フラグが「１」のポート１６について接続チェック欄に空欄がないか否かを判定する（ｔ５１）。ｔ５１では、特定したコンピュータ２ｃだけでなく全てのコンピュータ２ｃが対象となる。そして、空欄がある場合には、コントローラ１０ｃは、ｔ３２に戻って作業者による次の結線を待つ。
【０１００】
一方、接続チェック欄に空欄がない場合には、処理部１３ｃの指示に基づいて、ＬＥＤ制御部１５ｃは、ネットワーク機器１ｃの全てのポート１６の右ＬＥＤ１７を１０秒間グリーン点滅する（ｔ５２）。
【０１０１】
次に、コントローラ１０ｃによる処理シーケンスの例について説明する。作業者がコンピュータＣのオレンジに点滅しているポート＃１とネットワーク機器１ｃのポート＃１を接続する。すると、コントローラ１０ｃの通信部１４が、リンクアップしたポート＃１からＭＡＣアドレス要求を送信し、応答されたＭＡＣアドレス「００：００：００：０１：００：０４」を処理部１３ｃに通知する。そして、処理部１３ｃが、応答されたＭＡＣアドレス「００：００：００：０１：００：０４」が接続情報でどのコンピュータ２ｃに紐づくか特定する。
【０１０２】
そして、処理部１３ｃは、特定したコンピュータＣに紐づくポート１６の右ＬＥＤ１７を全てオレンジに点滅させる。そして、処理部１３ｃは、応答されたＭＡＣアドレス「００：００：００：０１：００：０４」は接続情報でポート＃１に対応付けられているので、接続は正しいと判定し、ポート＃１の右ＬＥＤ１７をグリーンに点滅するようにＬＥＤ制御部１５ｃに指示する。
【０１０３】
そして、処理部１３ｃは、接続情報のポート＃１に対応する接続チェック欄に「ＯＫ」を記録し、ＬＥＤ制御部１５ｃは、ポート＃１の右ＬＥＤ１７をオレンジに点滅させる。そして、作業者がコンピュータＣのオレンジ点滅しているポート＃２を例えばネットワーク機器１ｃのポート＃９に接続する。すると、コントローラ１０ｃの通信部１４が、リンクアップしたポート＃９からＭＡＣアドレス要求を送信し、応答されたＭＡＣアドレス「００：００：００：０１：００：０５」を処理部１３ｃに通知する。
【０１０４】
そして、応答されたＭＡＣアドレス「００：００：００：０１：００：０５」が接続情報でポート＃１２と紐づくため、処理部１３ｃは、ポート＃１２の右ＬＥＤ１７をグリーンとオレンジに交互点灯するようにＬＥＤ制御部１５ｃに指示する。そして、作業者がポート＃９からポート＃１２へ接続し直すと、処理部１３ｃは、ポート＃１２の右ＬＥＤ１７をグリーンに点滅するようにＬＥＤ制御部１５ｃに指示し、接続情報のポート＃１２に対応する接続チェック欄に「ＯＫ」を記録する。
【０１０５】
そして、処理部１３ｃは、ポート＃１２の右ＬＥＤ１７をオレンジに点滅するようにＬＥＤ制御部１５ｃに指示する。そして、作業者がコンピュータＣのオレンジ点滅しているポート＃３を、ネットワーク機器１ｃのオレンジ点滅しているポート１６のうち、未接続で残っているポート＃９に接続する。すると、コントローラ１０ｃの通信部１４が、リンクアップしたポート＃９からＭＡＣアドレス要求を送信し、応答されたＭＡＣアドレス「００：００：００：０１：０１：０６」を処理部１３ｃに通知する。
【０１０６】
そして、応答されたＭＡＣアドレス「００：００：００：０１：０１：０６」が接続情報でポート＃９と紐づくため、処理部１３ｃは、ポート＃９の右ＬＥＤ１７をグリーンに点滅するようにＬＥＤ制御部１５ｃに指示する。そして、処理部１３ｃは、接続情報のポート＃９に対応する接続チェック欄に「ＯＫ」を記録し、ポート＃９の右ＬＥＤ１７をオレンジに点滅するようにＬＥＤ制御部１５ｃに指示する。
【０１０７】
そして、処理部１３ｃは、コンピュータＣの接続フラグが「１」であるポート１６の接続チェック欄が全て「ＯＫ」となっているため、ＬＥＤ制御部１５ｃにポート＃１、ポート＃１２及びポート＃９のオレンジ点滅を終了するように指示する。
【０１０８】
そして、ネットワーク機器１ｃの右ＬＥＤ１７のオレンジ点滅がなくなったことを確認した作業者が、コンピュータＤの右ＬＥＤ２３がオレンジ点滅しているポート＃１と、例えばネットワーク機器１ｃのポート＃２を接続する。すると、コントローラ１０ｃの通信部１４が、リンクアップしたポート＃２からＭＡＣアドレス要求を送信し、応答されたＭＡＣアドレス「００：００：００：０２：００：０２」を処理部１３ｃに通知する。
【０１０９】
そして、応答されたＭＡＣアドレス「００：００：００：０２：００：０２」が接続情報でポート＃３と紐づくため、処理部１３ｃは、ポート＃３の右ＬＥＤ１７をグリーンとオレンジに交互点灯するようにＬＥＤ制御部１５ｃに指示する。そして、作業者がポート＃２からポート＃３へ接続し直すと、処理部１３ｃは、ポート＃３の右ＬＥＤ１７をグリーンに点滅するようにＬＥＤ制御部１５ｃに指示し、接続情報のポート＃３に対応する接続チェック欄に「ＯＫ」を記録する。そして、処理部１３ｃは、ポート＃３の右ＬＥＤ１７をオレンジに点滅するようにＬＥＤ制御部１５ｃに指示する。
【０１１０】
そして、処理部１３ｃは、コンピュータＤの接続フラグが「１」であるポート１６の接続チェック欄が全て「ＯＫ」となっているため、ＬＥＤ制御部１５ｃにポート＃３のオレンジ点滅を終了するように指示する。そして、処理部１３ｃは、接続情報の接続フラグが「１」であるポート１６の接続チェック欄が全て「ＯＫ」となっているため、右ＬＥＤ１７を全て１０秒間グリーン点滅するようにＬＥＤ制御部１５ｃに指示する。
【０１１１】
上述してきたように、実施例４では、コンピュータ２ｃ及びネットワーク機器１ｃが、接続対象のポート２２及び１６の右ＬＥＤ２３及び１７をそれぞれオレンジ点滅する。また、ネットワーク機器１ｃは、コンピュータ毎に接続対象のポート２２が全て接続されるとオレンジ点滅を消灯する。したがって、情報通信システム３ｃは、作業者の結線作業をさらに支援することができ、結線作業に要する時間を短縮することができる。
【実施例５】
【０１１２】
実施例４では、ネットワーク機器１ｃが１台だけの場合について説明したが、実施例５では、ネットワーク機器１ｃが２台の場合について説明する。なお、ネットワーク機器１ｃ及びコンピュータ２ｃは３台以上でもよい。
【０１１３】
図１８は、実施例５に係る情報通信システムの構成を示す図である。図１８に示すように、実施例５に係る情報通信システム３ｄは、ネットワーク機器＃３及びネットワーク機器＃４で表される２台のネットワーク機器１ｄとコンピュータＣ及びコンピュータＤで表される２台のコンピュータ２ｃを有する。
【０１１４】
図１９Ａは、ネットワーク機器＃３の接続一覧を示す図であり、図１９Ｂは、ネットワーク機器＃４の接続一覧を示す図である。図１９Ａに示すように、ネットワーク機器＃３のポート＃１２はコンピュータＤのポート＃２と接続され、コンピュータＤのポート＃２のＭＡＣアドレスは「００：００：００：０２：００：０３」である。
【０１１５】
図１９Ｂに示すように、ネットワーク機器＃４のポート＃３はコンピュータＣのポート＃１と接続され、コンピュータＣのポート＃１のＭＡＣアドレスは「００：００：００：０１：００：０４」である。ネットワーク機器＃４のポート＃１はコンピュータＤのポート＃１と接続され、コンピュータＤのポート＃１のＭＡＣアドレスは「００：００：００：０２：００：０２」である。
【０１１６】
ネットワーク機器１ｄは、図１１に示したネットワーク機器１ｃと比較して、コントローラ１０ｃの代わりにコントローラ１０ｄを有する。ネットワーク機器＃３はコントローラ＃３で表されるコントローラ１０ｄを有し、ネットワーク機器＃４はコントローラ＃４で表されるコントローラ１０ｄを有する。コントローラ１０ｄは、図１１に示したコントローラ１０ｃと比較して、接続情報格納部１１ｃの代わりに接続情報格納部１１ｄを有し、処理部１３ｃの代わりに処理部１３ｄを有し、ＬＥＤ制御部１５ｃの代わりにＬＥＤ制御部１５ｄを有する。
【０１１７】
接続情報格納部１１ｄは、図１１に示した接続情報格納部１１ｃと比較して、接続情報記憶部１２ｃの代わりに接続情報記憶部１２ｄを有する。図２０Ａは、ネットワーク機器＃３の接続情報記憶部１２ｄの一例を示す図であり、図２０Ｂは、ネットワーク機器＃４の接続情報記憶部１２ｄの一例を示す図である。
【０１１８】
図２０Ａ及び図２０Ｂに示すように、接続情報記憶部１２ｄは、図１３に示した接続情報記憶部１２ｃと比較して、ネットワーク機器番号とＮＷフラグを追加で記憶する。ネットワーク機器番号は、ネットワーク機器１ｄを識別する番号であり、ネットワーク機器＃３のネットワーク機器番号は「３」であり、ネットワーク機器＃４のネットワーク機器番号は「４」である。
【０１１９】
ＮＷフラグは、接続情報を記憶するネットワーク機器１ｄを識別する番号とネットワーク機器番号が同じ場合に「１」であり、接続情報を記憶するネットワーク機器１ｄを識別する番号とネットワーク機器番号が異なる場合に「０」である。例えば、図２０Ａはネットワーク機器＃３の接続情報を示すので、ネットワーク機器番号が「３」であるポート＃１２のＮＷフラグが「１」である。図２０Ｂはネットワーク機器＃４の接続情報を示すので、ネットワーク機器番号が「４」であるポート＃３とポート＃１のＮＷフラグが「１」である。なお、ＯＳブートデバイス２４ｃが記憶する接続情報は、いずれのネットワーク機器１ｄが記憶する接続情報であってもよい。
【０１２０】
処理部１３ｄは、図１１に示した処理部１３ｃと比較して、ガイド部３２ｃの代わりにガイド部３２ｄを有する。
【０１２１】
ガイド部３２ｄは、接続情報記憶部１２ｄを用いて、リンクアップしたポート１６から取得されたＭＡＣアドレスに紐づくコンピュータ２ｃを特定する。そして、ガイド部３２ｄは、接続情報記憶部１２ｄのＮＷフラグと接続フラグを用いて、特定したコンピュータ２ｃと接続するポート１６が自機器にあるか、他機器にあるか、どこにもないかを判定する。
【０１２２】
すなわち、ガイド部３２ｄは、特定したコンピュータ２ｃについてＮＷフラグが「１」でかつ接続フラグが「１」であるポート１６がある場合には、特定したコンピュータ２ｃと接続するポート１６が自機器にあると判定する。また、ガイド部３２ｄは、特定したコンピュータ２ｃについてＮＷフラグが「０」でかつ接続フラグが「１」であるポート１６がある場合には、特定したコンピュータ２ｃと接続するポート１６が他機器にあると判定する。また、ガイド部３２ｄは、特定したコンピュータ２ｃについて接続フラグが「１」であるポート１６がない場合には、特定したコンピュータ２ｃと接続するポート１６がいずれのネットワーク機器１ｄにもないと判定する。
【０１２３】
そして、ガイド部３２ｄは、特定したコンピュータ２ｃと接続するポート１６が自機器にある場合には、特定したコンピュータ２ｃと接続する全てのポート１６の右ＬＥＤ１７をオレンジ点滅するようＬＥＤ制御部１５ｄに指示する。例えば、ネットワーク機器＃３のガイド部３２ｄは、図２０Ａを用いて、コンピュータＤを特定すると、ＮＷフラグが「１」でかつ接続フラグが「１」であるポート＃１２をオレンジ点滅対象として特定する。
【０１２４】
また、ガイド部３２ｄは、特定したコンピュータ２ｃと接続する自機器のポート１６が他機器にある場合には、他機器を特定する。そして、ガイド部３２ｄは、ＬＥＤ制御部１５ｄに、全てのポート１６をオレンジに点滅するように指示し、その後で、特定した他機器のネットワーク機器番号と一致する番号のポート１６の右ＬＥＤ１７をグリーンとオレンジで交互点灯するように指示する。
【０１２５】
また、ガイド部３２ｄは、特定したコンピュータ２ｃと接続するポート１６がいずれのネットワーク機器１ｄにもない場合には、リンクアップしたポート１６の右ＬＥＤ１７がグリーン点灯とオレンジ点灯と消灯を繰り替えすようにＬＥＤ制御部１５ｄに指示する。そして、右ＬＥＤ１７がグリーン点灯とオレンジ点灯と消灯を繰り替えすポート１６からケーブルを外すと、ガイド部３２ｄは、対象ポート１６のリンクダウンを通信部１４により通知され、対象ポート１６を消灯するようにＬＥＤ制御部１５ｄに指示する。
【０１２６】
ＬＥＤ制御部１５ｄは、図１１に示したＬＥＤ制御部１５ｃと同様に処理部１３ｄの指示に基づいて右ＬＥＤ１７の表示を制御するが、ＬＥＤ制御部１５ｃと比較して表示パターンが２つ増える。
【０１２７】
図２１は、右ＬＥＤ１７及び右ＬＥＤ２３の表示パターンを示す図である。図２１では、図１４と比較して、全てのポート１６がオレンジ点滅と、一部のポート１６がグリーンとオレンジを交互点灯してその他全てのポート１６がオレンジ点滅の２つの表示パターンが追加されている。全てのポート１６がオレンジ点滅は、正しい接続先のネットワーク機器番号を指示する前などの一時表示用である。一部のポート１６がグリーンとオレンジを交互点灯してその他全てのポート１６がオレンジ点滅は、正しい接続先のネットワーク機器番号を指示する。
【０１２８】
図２２Ａ〜図２２Ｃは、コントローラ１０ｄによる処理のシーケンスを示す図である。図２２Ａに示すように、接続情報格納部１１ｄは、作業者が作成した接続情報を格納する（ｔ６１）。
【０１２９】
そして、コンピュータ２ｃにおいて右ＬＥＤ２３がオレンジに点滅しているポート２２とネットワーク機器１ｄを作業者が結線すると、通信部１４は、処理部１３ｄにネットワーク機器１ｄのポート１６のリンクアップを通知する（ｔ６２）。そして、処理部１３ｄは、リンクアップしたポート１６の接続先のＭＡＣアドレスを確認する（ｔ６３）。このため、通信部１４は、リンクアップしたポート１６にＭＡＣアドレス要求を送信する（ｔ６４）。そして、コンピュータ２ｃがＭＡＣアドレスを応答すると、通信部１４は、処理部１３ｄに、応答されたＭＡＣアドレスを通知する（ｔ６５）。
【０１３０】
そして、処理部１３ｄが接続情報を読込む（ｔ６６）と、接続情報格納部１１ｄが接続情報を回答する（ｔ６７）。そして、処理部１３ｄは、接続情報から、応答されたＭＡＣアドレスに紐づくコンピュータ２ｃを特定し（ｔ６８）、特定したコンピュータ２ｃについて、ＮＷフラグが「１」、かつ接続フラグが「１」のポート１６があるか否かを判定する（ｔ６９）。そして、特定したコンピュータ２ｃについて、ＮＷフラグが「１」、かつ接続フラグが「１」のポート１６がある場合には、処理部１３ｄは、ｔ８１へ進む。
【０１３１】
一方、ＮＷフラグが「１」、かつ接続フラグが「１」のポート１６がない場合には、処理部１３ｄは、特定したコンピュータ２ｃについて、ＮＷフラグが「０」、かつ接続フラグが「１」のポート１６があるか否かを判定する（ｔ７０）。そして、特定したコンピュータ２ｃについて、ＮＷフラグが「０」、かつ接続フラグが「１」のポート１６がない場合には、コントローラ１０ｄは、ｔ７７へ進む。
【０１３２】
一方、ＮＷフラグが「０」、かつ接続フラグが「１」のポート１６がある場合には、処理部１３ｄは、接続情報からＮＷフラグが「０」、かつ接続フラグが「１」のポート１６につながるネットワーク機器１ｄを特定する（ｔ７１）。そして、ＬＥＤ制御部１５ｄが、処理部１３ｄの指示に基づいて、全てのポート１６をオレンジ点滅し（ｔ７２）、特定されたネットワーク機器１ｄの番号と同じ番号のポート１６の右ＬＥＤ１７をグリーンとオレンジに交互点灯する（ｔ７３）。
【０１３３】
そして、作業者がネットワーク機器側のケーブルコネクタを取り外すと、通信部１４は、処理部１３ｄにリンクダウンしたことを通知する（ｔ７４）。そして、処理部１３ｄは、ＬＥＤ制御部１５ｄに全てのポート１６の右ＬＥＤ１７のオレンジ点滅を指示する（ｔ７５）。そして、ＬＥＤ制御部１５ｄは、全てのポート１６の右ＬＥＤ１７をオレンジ点滅する（ｔ７６）。そして、コントローラ１０ｄは、ｔ１０５へ進む。
【０１３４】
ｔ７０において、ＮＷフラグが「０」、かつ接続フラグが「１」のポート１６がない場合には、ＬＥＤ制御部１５ｄは、処理部１３ｄの指示に基づいて、リンクアップしたポート１６の右ＬＥＤ１７のグリーン点灯とオレンジ点灯と消灯を繰り返す（ｔ７７）。
【０１３５】
そして、作業者が結線したケーブルを取り外すと、通信部１４は、処理部１３ｄにリンクダウンしたことを通知する（ｔ７８）。そして、処理部１３ｄは、ＬＥＤ制御部１５ｄにリンクダウンしたポート１６の右ＬＥＤ１７の消灯を指示する（ｔ７９）。そして、ＬＥＤ制御部１５ｄは、対象ポート１６の右ＬＥＤ１７を消灯する（ｔ８０）。そして、コントローラ１０ｄは、ｔ１０５へ進む。
【０１３６】
ｔ６９において、ＮＷフラグが「１」、かつ接続フラグが「１」のポート１６がある場合には、処理部１３ｄは、特定したコンピュータ２ｃと接続する全ポート１６の右ＬＥＤ１７のオレンジ点滅をＬＥＤ制御部１５ｃに指示する（ｔ８１）。そして、ＬＥＤ制御部１５ｃは、該当ポート１６の右ＬＥＤ１７をオレンジに点滅する（ｔ８２）。
【０１３７】
そして、処理部１３ｄは、応答されたＭＡＣアドレスはＮＷフラグが「１」、かつ接続フラグが「１」か否かを判定する（ｔ８３）。そして、ＮＷフラグが「１」、かつ接続フラグが「１」である場合には、処理部１３ｄは、ｔ９７へ進む。
【０１３８】
一方、（ＮＷフラグが「１」、かつ接続フラグが「１」）でない場合には、処理部１３ｄは、応答されたＭＡＣアドレスはＮＷフラグが「０」、かつ接続フラグが「１」であるか否かを判定する（ｔ８４）。そして、（ＮＷフラグが「０」、かつ接続フラグが「１」）でない場合には、コントローラ１０ｄは、ｔ９３へ進む。
【０１３９】
一方、ＮＷフラグが「０」、かつ接続フラグが「１」である場合には、処理部１３ｄは、接続情報からＮＷフラグが「０」、かつ接続フラグが「１」のポート１６につながるネットワーク機器１ｄを特定する（ｔ８５）。そして、ＬＥＤ制御部１５ｄが、処理部１３ｄの指示に基づいて、全てのポート１６をオレンジ点滅し（ｔ８６）、特定されたネットワーク機器１ｄの番号と同じ番号のポート１６の右ＬＥＤ１７をグリーンとオレンジに交互点灯する（ｔ８７）。
【０１４０】
そして、作業者がネットワーク機器側のケーブルコネクタを取り外すと、通信部１４は、処理部１３ｄにリンクダウンしたことを通知する（ｔ８８）。そして、処理部１３ｄは、ＬＥＤ制御部１５ｄに全てのポート１６の右ＬＥＤ１７の消灯を指示する（ｔ８９）。そして、ＬＥＤ制御部１５ｄは、対象ポート１６の右ＬＥＤ１７を消灯する（ｔ９０）。そして、処理部１３ｄは、ＬＥＤ制御部１５ｄに、特定したコンピュータ２ｃと接続するポート１６の右ＬＥＤ１７のオレンジ点滅を指示し（ｔ９１）、ＬＥＤ制御部１５ｄは、該当ポート１６の右ＬＥＤ１７をオレンジに点滅する（ｔ９２）。そして、コントローラ１０ｄは、ｔ１０５へ進む。
【０１４１】
ｔ８４において、応答されたＭＡＣアドレスは（ＮＷフラグが「０」、かつ接続フラグが「１」）でない場合には、処理部１３ｄ指示下ＬＥＤ制御部１５ｄは、リンクアップしたポート１６の右ＬＥＤ１７のグリーン点灯とオレンジ点灯と消灯を繰り返す（ｔ９３）。
【０１４２】
そして、作業者が結線したケーブルを取り外すと、通信部１４は、処理部１３ｄにリンクダウンしたことを通知する（ｔ９４）。そして、処理部１３ｄは、ＬＥＤ制御部１５ｄにリンクダウンしたポート１６の右ＬＥＤ１７の消灯を指示する（ｔ９５）。そして、ＬＥＤ制御部１５ｄは、対象ポート１６の右ＬＥＤ１７を消灯する（ｔ９６）。そして、コントローラ１０ｄは、ｔ１０５へ進む。
【０１４３】
ｔ８３において、応答されたＭＡＣアドレスはＮＷフラグが「１」、かつ接続フラグが「１」である場合には、処理部１３ｄは、応答されたＭＡＣアドレスに接続情報で対応付けられるポート１６がリンクアップしたポート１６と同じか否かを判定する（ｔ９７）。そして、２つのポート１６が同じ場合には、コントローラ１０ｄは、ｔ１００へ進む。
【０１４４】
一方、２つのポート１６が同じでない場合には、処理部１３ｄの指示に基づいて、ＬＥＤ制御部１５ｄは、接続情報に基づく正しい接続先ポート１６の右ＬＥＤ１７をグリーンとオレンジに交互点灯する（ｔ９８）。そして、作業者が、ネットワーク機器側のケーブルコネクタを、右ＬＥＤ１７がグリーンとオレンジに交互点灯しているポート１６に接続すると、処理部１３ｄは、リンクアップしたポート１６からＭＡＣアドレスの応答を取得する。そして、処理部１３ｄは、応答されたＭＡＣアドレスに接続情報で対応付けられるポート１６がリンクアップしたポート１６と同じか否かを判定する（ｔ９９）。そして、２つのポート１６が同じでない場合には、コントローラ１０ｄは、ｔ９８へ戻る。
【０１４５】
一方、２つのポート１６が同じ場合には、処理部１３ｄの指示に基づいて、ＬＥＤ制御部１５ｄは、対象ＭＡＣアドレスの接続ポート１６の右ＬＥＤ１７をグリーンに点滅する（ｔ１００）。そして、処理部１３ｄは、接続情報の接続チェック欄に「ＯＫ」を記録し（ｔ１０１）、接続情報格納部１１ｄは、処理部１３ｄの指示に基づいて、接続情報を更新する（ｔ１０２）。
【０１４６】
そして、処理部１３ｄは、ＬＥＤ制御部１５ｄに対象ポート１６の右ＬＥＤ１７のオレンジ点滅を指示する（ｔ１０３）。そして、ＬＥＤ制御部１５ｄは、対象ポート１６の右ＬＥＤ１７をオレンジに点滅する（ｔ１０４）。そして、処理部１３ｄは、特定したコンピュータ２ｃのＮＷフラグが「１」かつ、接続フラグが「１」のポート１６について接続チェック欄に空欄がないか否かを判定する（ｔ１０５）。そして、空欄がある場合には、コントローラ１０ｄは、ｔ６２に戻って作業者がコンピュータ２ｃとネットワーク機器１ｄのオレンジ点滅しているポート２２とポート１６を結線するのを待つ。
【０１４７】
一方、特定したコンピュータ２ｃのＮＷフラグが「１」かつ、接続フラグが「１」のポート１６について接続チェック欄に空欄がない場合には、処理部１３ｄの指示下でＬＥＤ制御部１５ｄは全てのポート１６の右ＬＥＤ１７のオレンジ点滅を消灯する（ｔ１０６）。そして、処理部１３ｄは、ＮＷフラグが「１」かつ、接続フラグが「１」のポート１６について接続チェック欄に空欄がないか否かを判定する（ｔ１０７）。そして、空欄がある場合には、コントローラ１０ｄは、ｔ６２に戻って作業者による次の結線を待つ。
【０１４８】
一方、接続チェック欄に空欄がない場合には、処理部１３ｄの指示に基づいて、ＬＥＤ制御部１５ｄは、ネットワーク機器１ｄの全てのポート１６の右ＬＥＤ１７を１０秒間グリーン点滅する（ｔ１０８）。
【０１４９】
次に、コントローラ１０ｄによる処理シーケンスの例について説明する。作業者がコンピュータＣのオレンジに点滅しているポート＃１とネットワーク機器＃３のポート＃１を接続する。すると、コントローラ＃３の通信部１４が、リンクアップしたポート＃１からＭＡＣアドレス要求を送信し、応答されたＭＡＣアドレス「００：００：００：０１：００：０４」を処理部１３ｄに通知する。そして、処理部１３ｄが、応答されたＭＡＣアドレス「００：００：００：０１：００：０４」が接続情報でどのコンピュータ２ｃに紐づくか特定する。
【０１５０】
ネットワーク機器＃３の接続情報には、処理部１３ｄが特定したコンピュータＣのポート１６について、ＮＷフラグが「１」かつ、接続フラグが「１」のポート１６がなく、ＮＷフラグが「０」かつ、接続フラグが「１」のポート１６がある。このため、処理部１３ｄは、ＮＷフラグが「０」かつ、接続フラグが「１」のポート１６に対応付けられるネットワーク機器番号を特定する。そして、ＬＥＤ制御部１５ｄは、ネットワーク機器＃３の全てのポート１６の右ＬＥＤ１７をオレンジ点滅する。そして、オレンジ点滅後、ＬＥＤ制御部１５ｄは、特定されたネットワーク機器番号と同じ番号のポート１６（ネットワーク機器＃３、ポート＃４）の右ＬＥＤ１７をグリーンとオレンジの交互点灯する。
【０１５１】
グリーンとオレンジの交互点灯と、他全てがオレンジ点滅の表示パターンの場合、接続先はグリーンとオレンジに交互点灯しているポート１６の番号と番号が同じネットワーク機器１ｄ（ネットワーク機器＃４）となる。このため、作業者は、ネットワーク機器側のケーブルコネクタを指示されたネットワーク機器１ｄ（ネットワーク機器＃４)のポート＃１へ接続する。
【０１５２】
コントローラ＃４の処理部１３ｄは、接続されたポート１６のＭＡＣアドレスを持つコンピュータ２ｃを接続情報から特定する。そして、処理部１３ｄは、特定したコンピュータ２ｃのポート１６についてＮＷフラグが「１」かつ、接続フラグが「１」のポート１６があるため、ＬＥＤ制御部１５ｄに該当するポート１６の右ＬＥＤ１７をオレンジに点滅するよう指示する。ここで、該当するポート１６は、ネットワーク機器＃４のポート＃３である。
【０１５３】
そして、ポート＃３にケーブルが接続されると、応答されたＭＡＣアドレス「００：００：００：０１：００：０４」についてはＮＷフラグが「１」かつ、接続フラグが「１」である。このため、処理部１３ｄは、リンクアップしたポート１６と接続情報のＭＡＣアドレス「００：００：００：０１：００：０４」に対応するポート１６を比較する。接続情報では、ＭＡＣアドレス「００：００：００：０１：００：０４」に対応するポート１６はポート＃３となっているため、ＬＥＤ制御部１５ｄは、該当のポート１６（ネットワーク機器＃４、ポート＃３）をグリーンとオレンジに交互点灯する。そして、作業者は、ネットワーク機器側のケーブルコネクタをグリーンとオレンジに交互点灯しているポート１６（ネットワーク機器＃４、ポート＃３）に再結線する。
【０１５４】
そして、通信部１４がリンクアップを検知すると、処理部１３ｄは、再度接続ポート１６を確認し、接続情報の通りに接続されていれば、ＬＥＤ制御部１５ｄは、該当ポート１６（ネットワーク機器＃４、ポート＃３）をグリーンに点滅させる。グリーン点滅後、処理部１３ｄは、接続情報の該当ポート１６の接続チェック欄に「ＯＫ」を記録する。ＬＥＤ制御部１５ｄは、対象のポート１６の右ＬＥＤ１７をオレンジ点滅させる。
【０１５５】
そして、処理部１３ｄは、特定したコンピュータ２ｃ（コンピュータＣ）のＮＷフラグが「１」かつ、接続フラグが「１」のポート１６について、接続チェック欄に空欄がないか確認する。すると、空欄がないため、ＬＥＤ制御部１５ｄは、ネットワーク機器＃４の全てのポート１６の右ＬＥＤ１７を消灯する。
【０１５６】
処理部１３ｄは、全てのコンピュータ２ｃについてＮＷフラグが「１」かつ、接続フラグが「１」のポート１６の接続チェック欄に空欄がないか確認する。すると、空欄が残っているため、ＬＥＤ制御部１５ｄは、右ＬＥＤ１７の状態を操作しない。作業者は、接続したポート１６のグリーン点滅を確認後、ネットワーク機器１ｄの結線を再開する。
【０１５７】
一方、ネットワーク機器＃４のポート＃３への再結線によりネットワーク機器側のケーブルコネクタが外されたコントローラ＃３の通信部１４は、該当ポート１６（ネットワーク機器＃３、ポート＃１）のリンクダウンを検知して、処理部１３ｄへ通知する。そして、処理部１３ｄは、ＬＥＤ制御部１５ｄにリンクダウンしたポート１６の右ＬＥＤ１７を消灯させる。消灯後、処理部１３ｄは、特定したコンピュータ２ｃについてＮＷフラグが「１」かつ、接続フラグが「１」のポート１６がないため、全てのポート１６の右ＬＥＤ１７の消灯をＬＥＤ制御部１５ｄに指示する。
【０１５８】
処理部１３ｄは、全てのポート１６についてＮＷフラグが「１」かつ、接続フラグが「１」のポート１６があるかチェックする。該当するポート１６が存在するため、ＬＥＤ制御部１５ｄは、各ポート１６の右ＬＥＤの状態を変更しない。作業者は、オレンジ点滅が消灯し、全てのポート１６のグリーン点滅がないことを確認したら、次のコンピュータ２ｃ（コンピュータＤ）の接続を行う。
【０１５９】
作業者は、コンピュータＤのオレンジ点滅のポート１６（ポート＃１）とネットワーク機器＃３のポート１６（ポート＃１）を接続する。コントローラ＃３の処理部１３ｄは、接続されたポート１６のＭＡＣアドレス［００：００：００：０２：００：０２］を持つコンピュータ２ｃを接続情報から特定する。特定したコンピュータＤのポート１６のうち、ＮＷフラグが「１」かつ、接続フラグが「１」のポート１６があるため、処理部１３ｄは、ＬＥＤ制御部１５ｄに、接続されるネットワーク機器＃３のポート１６（ポート＃１２）の右ＬＥＤ１７をオレンジ点滅させる。
【０１６０】
接続されたポート１６から取得したＭＡＣアドレス［００：００：００：０２：００：０２］のＮＷフラグは「０」かつ、接続フラグは「１」のため、処理部１３ｄは、接続先のネットワーク機器１ｄを特定する。ＬＥＤ制御部１５ｄは、ネットワーク機器１ｄの全てのポート１６の右ＬＥＤ１７をオレンジ点滅する。オレンジ点滅後、処理部１３ｄは、ＬＥＤ制御部１５ｄに、特定したネットワーク機器１ｄの番号と同じ番号のポート１６（ポート＃４）の右ＬＥＤ１７をグリーンとオレンジの交互点灯をさせる。
【０１６１】
そして、グリーンとオレンジの交互点灯と他全てがオレンジ点滅のパターンの場合、接続先はグリーンとオレンジに交互点灯しているポート＃４と同じ番号のネットワーク機器＃４となる。このため、作業者は、ネットワーク機器側のケーブルコネクタを指示されたネットワーク機器＃４のポート＃１へ接続する。
【０１６２】
コントローラ＃４の処理部１３ｄは、接続されたポート１６のＭＡＣアドレス［００：００：００：０２：００：０２］を持つコンピュータ２ｃを接続情報から特定する。特定したコンピュータＤのポート１６についてＮＷフラグが「１」かつ、接続フラグが「１」のポート１６があるため、処理部１３ｄは、ＬＥＤ制御部１５ｄに、該当するポート１６（ネットワーク機器＃４、ポート＃１）をオレンジに点滅させる。処理部１３ｄは、接続情報でＭＡＣアドレス［００：００：００：０２：００：０２］に対応するＮＷフラグが「１」かつ、接続フラグが「１」のため、リンクアップしたポート１６と接続情報でＭＡＣアドレスに対応するポート１６を比較する。
【０１６３】
接続情報ではポート＃１となっているため、ＬＥＤ制御部１５ｄは、該当のポート１６（ネットワーク機器＃４、ポート＃１）をグリーンに点滅する。グリーン点滅後、処理部１３ｄは、接続情報の該当ポート１６の接続チェック欄に「ＯＫ」を記録する。そして、ＬＥＤ制御部１５ｄは、対象のポート１６の右ＬＥＤ１７をオレンジ点滅する。
【０１６４】
処理部１３ｄは、特定したコンピュータＤのＮＷフラグが「１」かつ、接続フラグが「１」のポート１６について接続チェック欄に空欄がないか確認する。空欄がないため、ＬＥＤ制御部１５ｄは、ネットワーク機器＃４の全てのポート１６の右ＬＥＤを消灯させる。そして、処理部１３ｄは、全てのコンピュータ２ｃについてＮＷフラグが「１」かつ、接続フラグが「１」のポート１６の接続チェック欄に空欄がないか確認する。空欄がないため、ＬＥＤ制御部１５ｄは、ネットワーク機器＃４の全てのポート１６を１０秒間点滅する。作業者は、接続した全てのポート１６のグリーン点滅を確認後、ネットワーク機器＃３の結線を再開する。
【０１６５】
コントローラ＃３では、作業者がケーブルを取り外したあと、ＬＥＤ制御部１５ｄは、リンクダウンしたポート１６の右ＬＥＤ１７を消灯する。そして、作業者は、コンピュータＤの他のオレンジ点滅のポート１６（ポート＃２）とネットワーク機器＃３のオレンジ点滅しているポート１６（ネットワーク機器＃３、ポート＃１２）を接続する。
【０１６６】
接続情報通りの接続のため、ＬＥＤ制御部１５ｄは、該当ポート１６の右ＬＥＤ１７をグリーン点滅し、処理部１３ｄは、接続情報の接続チェック欄を「ＯＫ」にする。そして、処理部１３ｄは、ＮＷフラグが「１」かつ、接続フラグが「１」の全てのポート１６の接続チェック欄が「ＯＫ」になっていることを確認し、ＬＥＤ制御部１５ｄは、１０秒間ネットワーク機器＃３の全てのポート１６の右ＬＥＤ１７をグリーン点滅する。
【０１６７】
そして、ネットワーク機器＃３、＃４ともに全てのポート１６が１０秒間グリーン点滅しているため、作業者は結線作業を完了する。
【０１６８】
上述してきたように、実施例５では、接続情報記憶部１２ｄは、他のネットワーク機器１ｄの接続情報も記憶する。そして、処理部１３ｄは、応答されたＭＡＣアドレスが接続情報で他のネットワーク機器１ｄに対応付けられている場合、他のネットワーク機器１ｄの番号と同じ番号のポート１６の右ＬＥＤ１７をグリーンとオレンジに交互点灯する。したがって、情報通信システム３ｄは、作業者にケーブルの再接続先のネットワーク機器１ｄを知らせることができ、結線作業に要する時間を短縮することができる。
【０１６９】
次に、ネットワーク機器１のハードウェア構成について説明する。なお、ネットワーク機器１ｃ及び１ｄも同様のハードウェア構成を有する。図２３は、ネットワーク機器１のハードウェア構成を示す図である。図２３に示すように、ネットワーク機器１は、コントローラ１０と、１２個のポート１６と、ＥＥＰＲＯＭ（Electrically  Erasable  Programmable  Read-Only  Memory）５６と、管理用ポート５７とを有する。ＥＥＰＲＯＭ５６は、プログラムやデータを格納するディスク装置である。管理用ポート５７は、ネットワーク機器と管理用コンピュータを接続するポートである。
【０１７０】
コントローラ１０は、メインメモリ５１と、プロセッサの一例であるＣＰＵ（Central  Processing  Unit）５２と、通信インタフェース５３と、ＬＥＤインタフェース５４と、ＩＯインタフェース５５とを有する。
【０１７１】
メインメモリ５１は、プログラムやプログラムの実行途中結果などを記憶するメモリである。ＣＰＵ５２は、メインメモリ５１からプログラムを読み出して実行する中央処理装置である。通信インタフェース５３は、ネットワーク機器１をポート１６経由でコンピュータ２に接続するためのインタフェースである。ＬＥＤインタフェース５４は、ＬＥＤ１７とＣＰＵ５２を接続するインタフェースである。ＩＯインタフェース５５は、ＥＥＰＲＯＭ５６及び管理用ポート５７とＣＰＵ５２を接続するインタフェースである。
【０１７２】
そして、コントローラ１０の機能を実現する結線確認プログラムは、ＥＥＰＲＯＭ５６に記憶され、ネットワーク機器１の起動時にコントローラ１０により読み込まれる。接続情報記憶部１２の情報は管理用ポート５７に接続した管理用コンピュータにより読み書きされる。
【０１７３】
以上の実施例１〜５を含む実施形態に関し、さらに以下の付記を開示する。
【０１７４】
（付記１）ポートを識別するポート識別子と該ポートの接続先ポートを識別する接続先識別情報とを複数のポートの各々について対応付けた接続情報を記憶する接続情報記憶部と、
結線によりリンクアップしたポートから該ポートの接続先ポートを識別する接続先識別情報を取得する取得部と、
前記取得部により取得された接続先識別情報と前記接続情報記憶部に記憶された接続情報に基づいて結線の状態を判定し、判定結果に基づいて、結線作業をガイドする表示をポートの表示装置に行うガイド部と、
結線対象の全てのポートの結線が前記ガイド部によるガイドに基づいて正しく行われたか否かを判定し、全ての結線が正しく行われたと判定した場合に、前記表示装置を全て用いて結線作業の完了を示す表示を行う完了判定部と
を有することを特徴とするネットワーク装置。
【０１７５】
（付記２）前記ガイド部は、
結線が正しいと判定した場合には、リンクアップしたポートの表示装置に結線が正しいことを示す表示を行い、
別のポートに対して結線が行われるべきと判定した場合には、正しいポートの表示装置に正しいポートであることを示す表示を行い、
接続するポートがないと判定した場合には、リンクアップしたポートの表示装置に接続するポートがないことを示す表示を行うことを特徴とする付記１に記載のネットワーク装置。
【０１７６】
（付記３）接続先として複数の情報処理装置があり、
前記接続情報記憶部は、情報処理装置を識別する情報処理装置識別子と情報処理装置との接続を示す接続フラグをさらに対応付けて記憶し、
前記ガイド部は、情報処理装置毎に、
前記取得部により取得された接続先識別情報と前記接続情報記憶部に基づいて結線が行われるべきポートを特定し、該特定したポートの表示装置に結線が行われるべきことを示す候補表示を行った後、前記状態を判定し、
結線が正しいと判定した場合には、リンクアップしたポートの表示装置に結線が正しいことを示す表示を行い、
別のポートに対して結線が行われるべきと判定した場合には、正しいポートの表示装置に正しいポートであることを示す表示を行い、
前記完了判定部は、１つの情報処理装置の結線対象の全てのポートの結線が正しく行われたか否かをさらに判定し、１つの情報処理装置の結線作業が完了する毎に前記候補表示の取り消しをさらに行うことを特徴とする付記１に記載のネットワーク装置。
【０１７７】
（付記４）前記接続情報記憶部は、ネットワーク装置を識別するネットワーク装置識別子をさらに対応付けた接続情報を記憶し、
前記ガイド部は、前記取得部により取得された接続先識別情報と前記接続情報記憶部に記憶された接続情報に基づいて、リンクアップしたポートの接続先が接続する正しいネットワーク装置が自装置であるか否かをさらに判定し、前記接続先が接続する正しいネットワーク装置が自装置でない場合に、前記接続先が接続する正しいネットワーク装置を示す表示を前記表示装置にさらに行うことを特徴とする付記３に記載のネットワーク装置。
【０１７８】
（付記５）前記接続先識別情報はＭＡＣアドレスであり、前記表示装置は、ＬＥＤであることを特徴とする付記１〜４のいずれか１つに記載のネットワーク装置。
【０１７９】
（付記６）コンピュータが、
ポートを識別するポート識別子と該ポートの接続先ポートを識別する接続先識別情報とを複数のポートの各々について対応付けた接続情報を接続情報記憶部に格納し、
結線によりリンクアップしたポートから該ポートの接続先ポートを識別する接続先識別情報を取得し、
取得した接続先識別情報と前記接続情報記憶部に記憶された接続情報に基づいて結線の状態を判定し、判定結果に基づいて、結線作業をガイドする表示をポートの表示装置に行い、
結線対象の全てのポートの結線がガイドに基づいて正しく行われたか否かを判定し、全ての結線が正しく行われたと判定した場合に、前記表示装置を全て用いて結線作業の完了を示す表示を行う
処理を実行することを特徴とする結線確認方法。
【０１８０】
（付記７）コンピュータに、
ポートを識別するポート識別子と該ポートの接続先ポートを識別する接続先識別情報とを複数のポートの各々について対応付けた接続情報を接続情報記憶部に格納し、
結線によりリンクアップしたポートから該ポートの接続先ポートを識別する接続先識別情報を取得し、
取得した接続先識別情報と前記接続情報記憶部に記憶された接続情報に基づいて結線の状態を判定し、判定結果に基づいて、結線作業をガイドする表示をポートの表示装置に行い、
結線対象の全てのポートの結線がガイドに基づいて正しく行われたか否かを判定し、全ての結線が正しく行われたと判定した場合に、前記表示装置を全て用いて結線作業の完了を示す表示を行う
処理を実行させることを特徴とする結線確認プログラム。
【０１８１】
（付記８）第１のポートを複数有するネットワーク装置と第２のポートを複数有する情報処理装置とを備える情報通信システムにおいて、
前記情報処理装置は、
前記第１のポートを識別する第１のポート識別子と前記第１のポートと結線される第２のポートを識別する接続先識別情報と前記情報処理装置を識別する情報処理装置識別子とを対応付けて記憶する第１の接続情報記憶部と、
前記第１のポートと結線される第２のポートを前記第１の接続情報記憶部に基づいて特定し、該特定した第２のポートの表示装置に結線対象であることを示す表示を行う第１の特定部を有し、
前記ネットワーク装置は、
前記第１のポートを識別する第１のポート識別子と前記第１のポートと結線される第２のポートを識別する接続先識別情報と前記情報処理装置を識別する情報処理装置識別子とを対応付けて記憶する第２の接続情報記憶部と、
リンクアップした第１のポートから該第１のポートと結線された第２のポートの接続先識別情報を取得する取得部と、
前記取得部により取得された接続先識別情報と前記第２の接続情報記憶部に基づいて、前記第１の特定部により特定された第２のポートと結線される第１のポートを特定する第２の特定部と、
前記第２の特定部により特定された第１のポートの表示装置に結線対象であることを示す表示を行う表示部と
を有することを特徴とする情報通信システム。
【符号の説明】
【０１８２】
１，１ｃ，１ｄ    ネットワーク機器
２，２ｃ    コンピュータ
３，３ａ，３ｂ，３ｃ，３ｄ    情報通信システム
１０，１０ｃ，１０ｄ    コントローラ
１１，１１ｃ，１１ｄ    接続情報格納部
１２，１２ｃ，１２ｄ    接続情報記憶部
１３，１３ｃ，１３ｄ    処理部
１４    通信部
１５，１５ｃ，１５ｄ    ＬＥＤ制御部
１６    ポート
１７    ＬＥＤ
２１    ネットワークコントローラ
２２    ポート
２３    ＬＥＤ
２４ｃ    ＯＳブートデバイス
２６ｃ    ＯＳ
３１    取得部
３２    ガイド部
３３    完了判定部
５１    メインメモリ
５２    ＣＰＵ
５３    通信インタフェース
５４    ＬＥＤインタフェース
５５    ＩＯインタフェース
５６    ＥＥＰＲＯＭ
５７    管理用ポート
【図１】
2020005206.tif 000003
【図２】
2020005206.tif 000004
【図３】
2020005206.tif 000005
【図４Ａ】
2020005206.tif 000006
【図４Ｂ】
2020005206.tif 000007
【図５】
2020005206.tif 000008
【図６】
2020005206.tif 000009
【図７】
2020005206.tif 000010
【図８】
2020005206.tif 000011
【図９Ａ】
2020005206.tif 000012
【図９Ｂ】
2020005206.tif 000013
【図１０Ａ】
2020005206.tif 000014
【図１０Ｂ】
2020005206.tif 000015
【図１１】
2020005206.tif 000016
【図１２】
2020005206.tif 000017
【図１３】
2020005206.tif 000018
【図１４】
2020005206.tif 000019
【図１５】
2020005206.tif 000020
【図１６】
2020005206.tif 000021
【図１７Ａ】
2020005206.tif 000022
【図１７Ｂ】
2020005206.tif 000023
【図１８】
2020005206.tif 000024
【図１９Ａ】
2020005206.tif 000025
【図１９Ｂ】
2020005206.tif 000026
【図２０Ａ】
2020005206.tif 000027
【図２０Ｂ】
2020005206.tif 000028
【図２１】
2020005206.tif 000029
【図２２Ａ】
2020005206.tif 000030
【図２２Ｂ】
2020005206.tif 000031
【図２２Ｃ】
2020005206.tif 000032
【図２３】
2020005206.tif 000033